(57)【特許請求の範囲】
【請求項１】
フィードチューブ外筒を内挿するように環状に形成されたエアモータの回転軸に、ベルの基端開口部が回転軸の先端部に取付けられ、フィードチューブ外筒に収納されたフィードチューブから吐出された塗料が回転するベルにより霧化されると共に、フィードチューブ外筒内のフィードチューブ間の隙間から吐出される洗浄液で回転状態のベルが洗浄されるようになった回転ベル式静電塗装装置において、
フィードチューブは、フィードチューブ外筒の先端部の先端縁からベル内へ突出すると共に、前記先端縁は、ベルの基端開口部の先端よりも後退していることを特徴とする回転ベル式静電塗装装置。
【請求項２】
フィードチューブ外筒の先端部の内径を先方へ向けて徐々に大きくなるテーパ状に形成したことを特徴とする請求項１記載の回転ベル式静電塗装装置。
【請求項３】
フィードチューブ外筒の先端部をその内径及び外径共に先方へ向けて徐々に大きくなるテーパ状に形成したことを特徴とする請求項１記載の回転ベル式静電塗装装置。
【発明の詳細な説明】
【０００１】
【発明の属する技術分野】
本発明は、フィードチューブ外筒を内挿するように環状に形成されたエアモータの回転軸に、ベルの基端開口部が回転軸の先端部に取付けられ、フィードチューブ外筒に収納されたフィードチューブから吐出された塗料が回転するベルにより霧化されると共に、フィードチューブ外筒内のフィードチューブ間の隙間から吐出される洗浄液で回転状態のベルが洗浄されるようになった回転ベル式静電塗装装置に関するものである。
【０００２】
【従来の技術】
図５はこの種の塗装装置を示すもので、カップ状ベル１０がその基端開口部１２にエアモータ２０のパイプ状回転軸２１の回転軸先端部２１ａが取り付けられて回転駆動されると共に、回転軸２１には、複数本のフィードチューブ３１を収納しているフィードチューブ外筒３０が内挿されて、基端開口部１２から突出している。フィードチューブ外筒３０内のフィードチューブ３１の互いの隙間には、洗浄液、例えばシンナが供給されるようになっている。ベル１０の正面には、中央部に１個の孔１１ａ、また周囲に多数の孔１１ｂを備えた正面板１１が取り付けられることにより、その回転でフィードチューブ３１から吐出された塗料が霧化される。エアモータ２０は給気口２２よりエアを供給されることにより回転軸２１を回転駆動すると共に、エアシェイパ２８からベル１０の背面にエアを供給することにより、その風圧調整により噴霧パターンを調整可能にしている。
【０００３】
これにより、選択された色の塗料が供給口２４から供給され、フィードチューブ３１から正面板１１に向けて吐出され、高電圧を印加されたベル１０の回転で帯電霧化されて塗装が行われる。また、ベル１０内の洗浄に際しては、その回転状態で供給口２４ａから供給された例えばシンナがフィードチューブ３１間の隙間から正面板１１に向けて吐出される。
【０００４】
【発明が解決しようとする課題】
しかしながら、このような洗浄に際して、シンナは、塗料に対して相対的に粘度が低いために正面板１１で跳ね返ることにより、図６に示すように、ベル１０の基端開口部１２の周囲或いはフィードチューブ外筒３０及び回転軸２１の隙間に塗料１が付着して固化し、したがって色替え時の洗浄を確実にしようとすると、清掃作業の時間が長くなり、また回転軸先端部２１ａの内部の隙間の洗浄は困難であった。
【０００５】
本発明は、このような点に鑑みて、フィードチューブ側から供給される洗浄液により、容易、かつ確実にベル内部及びその近辺を洗浄可能にする回転ベル式静電塗装装置を提供することを目的とする。
【０００６】
【課題を解決するための手段】
本発明は、この目的を達成するために、請求項１により、フィードチューブ外筒を内挿するように環状に形成されたエアモータの回転軸に、ベルの基端開口部が回転軸の先端部に取付けられ、フィードチューブ外筒に収納されたフィードチューブから吐出された塗料が回転するベルにより霧化されると共に、フィードチューブ外筒内のフィードチューブ間の隙間から吐出される洗浄液で回転状態のベルが洗浄されるようになった回転ベル式静電塗装装置において、フィードチューブ（３１、３１ａ）は、フィードチューブ外筒（３０）の先端部（３０ｂ、３０ｃ）の先端縁（３０ａ、３０ｄ、３０ｅ）からベル（１０）内へ突出すると共に、先端縁（３０ａ、３０ｄ、３０ｅ）はベル（１０）の基端開口部（１２）の先端（１２ａ）よりも後退していることを特徴とする。
【０００７】
後退したフィードチューブ外筒（３０）から吐出された洗浄液は、ベル（１０）の基端開口部（１２）の先端（１２ａ）に向けて移動する過程で回転軸（２１）の回転により拡散され、噴射圧が抑制されると共にベル内へ広角に噴射される。フィードチューブ外筒（３０）の内部でも拡散させるには、請求項２によりフィードチューブ外筒（３０）の先端部（３０ｂ、３０ｃ）をその内径が先方へ向けて徐々に大きくなるテーパ状に形成するか、或いは請求項３によりフィードチューブ外筒（３０）の先端部（３０ｂ）の内径及び外径共に先方へ向けて徐々に大きくなるテーパ状に形成する。
【０００８】
【発明の実施の形態】
図１及び図２を基に本発明の実施の形態の一例による回転ベル式静電塗装装置を説明する。図１はこの回転ベル式静電塗装装置の要部を示すもので、全体の基本構成は図５で既に説明した装置と同一であり、同一もしくは同等部分は同一符号で説明する。
【０００９】
エアを供給されて回転駆動するエアモータのパイプ状回転軸２１に内挿されているフィードチューブ外筒３０の先端部３０ｂは、回転軸２１間の隙間で先方へ向けて内径及び外径が共に徐々に大きくなるテーパ状に形成されると共に、その先端縁３０ａは、ベル１０の基端開口部１２の先端１２ａ、即ちこれに揃った回転軸先端部２１ａの先端縁２１ｂよりも後退した位置に設定されている。フィードチューブ外筒３０には、図２に示すように、中央部に色替されるフィードチューブ３１ａと、周囲に専用色のフィードチューブ３１とが収納され、その互いの隙間３５には、洗浄液、例えばシンナが供給されるようになっている。これらの７本のフィードチューブ３１、３１ａは、通常通り基端開口部１２から先方へ突出している。テーパ状先端部３０ｂの開拡角度は、その内周面の延長線が回転軸先端部２１ａの内周面における先端縁２１ｂよりも後退した位置に達するように設定されている。
【００１０】
フィードチューブ３１、３１ａのうち選択されたチューブから回転するベル１０の正面板１１に吐出された塗料は、帯電微粒子化されて放出され、通常の動作原理に従い塗装が行われる。
【００１１】
ベル１０内の洗浄に際しては、フィードチューブ外筒３０内の隙間３５からシンナが吐出されると共に、テーパ状先端部３０ｂに沿って拡散され、さらに回転軸２１の先端縁２１ｂに達する過程でその回転により拡散されて広角に噴射される。したがって、吐出範囲の拡散及び噴射圧の分散により跳ね返りが抑制されると共に、正面板１１に向けてだけでなく、ベル１０の内周面に沿って噴射される。これにより、ベル１０の内周面、正面板１１、フィードチューブ３１、３１ａ及び回転軸先端部２１ａの内部が確実に洗浄され、特に基端開口部１２の周辺、回転軸先端部２１ａの内部への塗料の付着固化が回避される。
【００１２】
図３は別の実施の形態を示すもので、フィードチューブ外筒３０の先端部３０ｃは、内周面が先方へ向けて内径が徐々に大きくなるテーパ状に形成されると共に、その先端縁３０ｄは回転軸２１の先端縁２１ｂよりも後退し、かつテーパ状内周面の延長線も先端縁２１ｂより後退した位置に設定されている。これにより、隙間３５から吐出されたシンナはテーパ状先端部３０ｃに沿って拡散され、さらに回転軸２１の先端縁２１ｂに達する過程でその回転により拡散されて広角に噴射される。この実施の形態は、回転軸２１の外周及びフィードチューブ外筒３０間の隙間が図示の状態よりさらに狭い場合にも適用可能である。
【００１３】
図４はさらに別の実施の形態を示すもので、同図Ａではフィードチューブ外筒３０の先端部がテーパ状に形成されるのに代えて、回転軸２１及びフィードチューブ外筒３０間の隙間の存在及び回転軸２１の回転で充分な拡散が行われるように、フィードチューブ外筒３０の先端縁３０ｅが回転軸２１の先端縁２１ｂよりも充分大きく後退した位置に設定されている。但し、同図Ｂに示すように、背後で回転軸２１の内径が大きく変化する回転軸部分１２ｃを備える構造の場合、洗浄液の侵入に起因して、図示のように、そのコーナ部分に塗料２が長期の使用過程で付着するのを回避するように、後退位置を制限することも考慮して設定する。さらに、フィードチューブ外筒３０によるフィードチューブ３１、３１ａの保持作用も配慮する必要がある。
【００１４】
【発明の効果】
請求項１の発明によれば、フィードチューブ外筒から吐出された洗浄液は拡散により、跳ね返りが抑制されてベル内を確実に洗浄すると共に、回転軸内部もしくはベルの基端開口部も洗浄液の吐出流路となるために確実に洗浄される。その際、請求項２によればフィードチューブ外筒及び回転軸内部間の隙間が小さくても拡散角度を大きく設定でき、また請求項３によれば一層拡散角度を拡大できる。
【図面の簡単な説明】
【図１】本発明の実施の形態による回転ベル式静電塗装装置の要部断面図である。
【図２】同回転ベル式静電塗装装置のフィードチューブの正面図である。
【図３】別の実施の形態による回転ベル式静電塗装装置の要部断面図である。
【図４】さらに別の実施の形態による回転ベル式静電塗装装置の要部断面図である。
【図５】従来の回転ベル式静電塗装装置の断面図である。
【図６】図５による回転ベル式静電塗装装置の洗浄動作を説明する図である。
【符号の説明】
１０  ベル
１２  ベルの基端開口部
２１  エアモータの回転軸
２１ａ  回転軸先端部
２１ｂ  回転軸の先端縁
３０  フィードチューブ外筒
３０ａ、３０ｄ、３０ｅ  フィードチューブ外筒の先端縁
３０ｂ、３０ｃ  フィードチューブ外筒の先端部、
３１、３１ａ  フィードチューブ
３５  フィードチューブ外筒内の隙間
【図１】
0003880389.tif 000002
【図２】
0003880389.tif 000003
【図３】
0003880389.tif 000004
【図４】
0003880389.tif 000005
【図５】
0003880389.tif 000006
【図６】
0003880389.tif 000007